(57)【要約】【課題】本発明は、周囲の環境ノイズを大きくすることなく、会話内容が外部に伝わり難くすることができる壁構造を提供することを課題とする。【解決手段】本発明の壁構造は、前面に前方から入射する音波を反射して収束させる複数の集音部を備え、前記複数の集音部の集音形状が二次曲線回転面又はこの二次曲線回転面の一部である。少なくとも一対の前記集音部が対向配置されるとよい。前記複数の集音部が並列配置されるとよい。前記複数の集音部の集音形状の焦点が異なるとよい。前記二次曲線回転面が回転放物面であるとよい。【選択図】図１
2018204289.tif 000002
【特許請求の範囲】
【請求項１】
前面に前方から入射する音波を反射して収束させる複数の集音部を備え、
前記複数の集音部の集音形状が二次曲線回転面又はこの二次曲線回転面の一部である室内スペースを区分する壁構造。
【請求項２】
少なくとも一対の前記集音部が対向配置される請求項１に記載の壁構造。
【請求項３】
前記複数の集音部が並列配置される請求項１に記載の壁構造。
【請求項４】
前記複数の集音部の集音形状の焦点が異なる請求項１、請求項２又は請求項３に記載の壁構造。
【請求項５】
前記二次曲線回転面が回転放物面である請求項１から請求項４のいずれか１項に記載の壁構造。
【発明の詳細な説明】
【技術分野】
【０００１】
本発明は、壁構造に関する。
【背景技術】
【０００２】
近年、オフィス等の室内スペースを間仕切りによって区分することで会議や商談等を行う打合せブースを設けることが行われている。このように間仕切りによって打合せブースを設けることで、室内スペースを効率的に利用することができると共に、この室内スペース全体の活気を高めることができる。
【０００３】
前記打合せブースは、室内スペースの効率的な利用や室内スペースの活性化の観点から、室内の事務スペース等の近くに存在することが望まれている。また、この打合せブースは、前記観点から十分な数が存在することが望まれており、そのため各打合せブースの小規模化が図られている。
【０００４】
しかしながら、打合せブースの小規模化が図られる場合、この打合せブース内の会話が打合せブース外に漏洩するおそれが高くなる。このような点から、今日では間仕切りにスピーカーを設け、マスキング音を放音することによって、打合せブース内での会話が外部で聞き取れないようにする技術が実用化されている（特開２０１２−８２５８５号公報参照）。
【先行技術文献】
【特許文献】
【０００５】
【特許文献１】特開２０１２−８２５８５号公報
【発明の概要】
【発明が解決しようとする課題】
【０００６】
しかしながら、前記公報に記載されているようにマスキング音を用いる場合、周囲の環境ノイズが大きくなるという問題が生じる。つまり、複数の打合せブースが隣接して設けられる場合、隣接する他の打合せブース内の会話を聞き取れなくするためのマスキング音によって打合せブース内での会話が聞き取り難くなり、打合せブース内で比較的大きな声で会話をする必要が生じるおそれがある。
【０００７】
このような不都合に鑑みて、本発明は、周囲の環境ノイズを大きくすることなく、会話内容が外部に伝わり難くすることができる壁構造を提供することを課題とする。
【課題を解決するための手段】
【０００８】
前記課題を解決するためになされた本発明は、前面に前方から入射する音波を反射して収束させる複数の集音部を備え、前記複数の集音部の集音形状が二次曲線回転面又はこの二次曲線回転面の一部である室内スペースを区分する壁構造である。
【０００９】
当該壁構造は、少なくとも一対の前記集音部が対向配置されるとよい。
【００１０】
当該壁構造は、前記複数の集音部が並列配置されるとよい。
【００１１】
当該壁構造は、前記複数の集音部の集音形状の焦点が異なるとよい。
【００１２】
前記二次曲線回転面が回転放物面であるとよい。
【００１３】
なお、本発明において、「音波を反射して収束させる」とは、同一の点から入射する音波に対する表面の２以上の点での反射波が同一の点に到達することをいう。「二次曲線回転面」及び「回転放物面」は、複数の平面や球面で近似される面であってもよい。
【発明の効果】
【００１４】
本発明に係る壁構造は、例えば打合せブースを事務スペース等の外部スペースと区分するために用いられる。当該壁構造は、複数の集音部の前面が前記打合せブース側に向くよう配設される。当該壁構造は、前面に前方から入射する音波を反射して収束させる複数の集音部を備えており、複数の集音部の集音形状が二次曲線回転面又はこの二次曲線回転面の一部であるので、当該壁構造によって区分される打合せブース内で比較的小さい声で会話をした場合でも、互いの声を比較的容易に聞き取らせることができる。そのため、話者の声が自然と小さくなり、外部に声が漏れて会話内容が第三者に聞き取られることを抑制することができる。
【図面の簡単な説明】
【００１５】
【図１】本発明の一実施形態に係る壁構造により形成される打合せブースを示す模式的平面図である。
【図２】図１の壁構造のＡ−Ａ線断面図である。
【図３】図１の壁構造とは異なる形態に係る壁構造により形成される打合せブースを示す模式的平面図である。
【図４】図１及び図３の壁構造とは異なる形態に係る壁構造により形成される打合せブースを示す模式的平面図である。
【図５】図１、図３及び図４の壁構造とは異なる形態に係る壁構造により形成される打合せブースを示す模式的平面図である。
【図６】図５の複数の集音部の模式的正面図である。
【図７】図１、図３〜図５の壁構造とは異なる形態に係る壁構造により形成される打合せブースを示す模式的平面図である。
【図８】図７の複数の集音部の模式的正面図である。
【発明を実施するための形態】
【００１６】
以下、適宜図面を参照しつつ、本発明の実施の形態を詳説する。
【００１７】
［第一実施形態］
＜壁構造＞
図１及び図２の壁構造１は、前面に前方から入射する音波を反射して収束させる一対の集音部５ａ，５ｂを備える。具体的には、当該壁構造１は、一対のパネル部材２ａ，２ｂを備えており、この一対のパネル部材２ａ，２ｂがそれぞれ１つの集音部５ａ，５ｂを有する。当該壁構造１は、室内スペースを区分する壁構造であって、詳細には打合せブースを事務スペース等の外部スペースと区分するための壁構造である。当該壁構造１は、一対のパネル部材２ａ，２ｂを床面に配置することによって外部スペースから打合せブースを区分する。なお、当該壁構造１によって区分される区分構造は、当該壁構造１に加え、互いに向き合う話者Ｐ１，Ｐ２間に配置されるテーブル３と、話者が着座する一対の椅子４ａ，４ｂとを備える。当該壁構造１は、一対のパネル部材２ａ，２ｂによってテーブル３の近傍の空間を周囲の空間と区分することで室内スペースに打合せブースを画定する。当該壁構造１は、一対の集音部５ａ，５ｂの集音形状が二次曲線回転面又はこの二次曲線回転面の一部である。
【００１８】
当該壁構造１は、一対の集音部５ａ，５ｂの前面が打合せブース側に向くように配設される。当該壁構造１は、一対の集音部５ａ，５ｂが対向配置されており、詳細には一対の集音部５ａ，５ｂが、テーブル３を挟んで前面同士を対向させるように配置されている。当該壁構造１によって区分される区分構造では、一対の集音部５ａ，５ｂに挟まれる中間位置にテーブル３が配置され、このテーブル３と一対の集音部５ａ，５ｂとの間に一対の椅子４ａ，４ｂが配置されている。なお、当該壁構造１では、一対の集音部５ａ，５ｂに挟まれる領域を除く空間において打合せブース及び外部スペースを区分する他のパネル部材を備えていてもよい。また、当該壁構造１は、図１及び図２に示すように、２人の話者Ｐ１，Ｐ２がテーブル３を挟んで一対一で会話をするために特に好適に用いられるが、より多くの話者による会話や、遠隔会議システムを使用するために用いることもできる。
【００１９】
当該壁構造１は、前面に前方から入射する音波を反射して収束させる一対の集音部５ａ，５ｂを備えており、この一対の集音部５ａ，５ｂの集音形状が二次曲線回転面又はこの二次曲線回転面の一部であるので、当該壁構造１によって区分される打合せブース内で比較的小さい声で会話をした場合でも、互いの声を比較的容易に聞き取らせることができる。そのため、話者Ｐ１，Ｐ２の声が自然と小さくなり、外部に声が漏れて会話内容が第三者に聞き取られることを抑制することができる。
【００２０】
一般に、集音部５ａ，５ｂの集音形状の音源位置が入射波が平行となる無限遠である場合、この音源から放出された音波は前記集音形状の焦点に収束しやすい。これに対し、本発明者の知見によると、一対の集音部５ａ，５ｂが対向配置されており、この一対の集音部５ａ，５ｂ間に音源が存在する場合、この一対の集音部５ａ，５ｂ間に音声利得の高い領域を発現することができる。具体的には、一対の集音部５ａ，５ｂ間に音源が存在する場合、この音源から一方の集音部５ａ，５ｂに入射した音波は、総体として平面視及び側面視で帯状の領域を形成しつつ他方の集音部５ａ，５ｂ側に反射される。従って、当該壁構造１は、一対の集音部５ａ，５ｂが対向配置されていることで、話者Ｐ１，Ｐ２の声を小さくした場合でも互いの声を容易に聞き取らせやすい。
【００２１】
（パネル部材）
一対のパネル部材２ａ，２ｂは、集音部５ａ，５ｂと、集音部５ａ，５ｂを一定の高さに調節すると共に、集音部５ａ，５ｂより下方を仕切る腰壁部６とを有する。集音部５ａ，５ｂは、例えば板状であり、一方の表面に前述の集音形状が形成されている。
【００２２】
一対の集音部５ａ，５ｂの二次曲線回転面の回転軸は同一直線状に配されることが好ましい。また、一対の集音部５ａ，５ｂの二次曲線回転面の回転軸は、打合せブースにおいて想定される２人の話者Ｐ１，Ｐ２の頭部を通る水平な軸であることが好ましい。そのため、当該壁構造１は、腰壁部６が、集音部５ａ，５ｂの高さ位置、つまり前記二次曲線回転面の回転軸の高さ位置、を調節可能な高さ調節機構を有することが好ましい。当該壁構造１は、一対の集音部５ａ，５ｂの集音形状間に音源が存在する場合、この集音形状の間に音声利得の高い領域を発現させることができるので、前記構成によると話者Ｐ１，Ｐ２により的確に互いの声を聞き取らせやすい。さらに、当該壁構造１は、前述のように集音形状の中心軸を調節することで、話者Ｐ１，Ｐ２に応じて音声利得の高い領域を容易に発現させやすい。
【００２３】
一対の集音部５ａ，５ｂの集音形状は等しいことが好ましい。当該壁構造１は、一対の集音部５ａ，５ｂの集音形状が等しいことで、この集音形状の間に音声利得の高い領域を発現させやすい。
【００２４】
一対の集音部５ａ，５ｂの集音形状の焦点は異なることが好ましい。当該壁構造１は、一対の集音部５ａ，５ｂの集音形状の焦点が異なることで、一対の集音部５ａ，５ｂ間に音声利得の高い領域を発現させやすい。なお、一対の集音部５ａ，５ｂの集音形状の焦点としては、例えば打合せブースにおいて想定される各集音部５ａ，５ｂの前方に位置する話者Ｐ１，Ｐ２の頭部近傍であることが好ましい。
【００２５】
前記二次曲線回転面としては、回転放物面又は回転楕円面が好ましく、回転放物面がより好ましい。前記二次曲線回転面が回転放物面であることによって、一対の集音部５ａ，５ｂ間に音源が存在する場合に、この音源から放音される音が前記二次曲線回転面の焦点に収束することを抑えつつ、一対の集音部５ａ，５ｂ間に音声利得の高い領域を発現させやすい。
【００２６】
〔テーブル〕
テーブル３は、話者Ｐ１，Ｐ２の着席位置を誘導する誘導構造を有することが好ましい。この誘導構造としては、話者Ｐ１，Ｐ２の胴が入り込むよう天板に形成された切欠き３ａが挙げられる。このように、テーブル３が誘導構造を有することによって、当該壁構造１によって音が収束する位置に話者Ｐ１，Ｐ２を誘導し、会話が打合せブースの外部に漏れることをより容易に防止することができる。なお、「話者の胴が入り込むよう形成された切欠き」とは、実際に話者Ｐ１，Ｐ２が切欠き３ａの中に入り込んで使用するものに限定されるものではなく、話者Ｐ１，Ｐ２がテーブル３の天板の側縁から適当な間隔を空けて着座するために設けられる切欠きを含む。
【００２７】
［第二実施形態］
＜壁構造＞
図３の壁構造１１は、前面に前方から入射する音波を反射して収束させる４つの集音部５ａ〜５ｄを備える。具体的には、当該壁構造１１は、４つのパネル部材２ａ〜２ｄを備えており、これらのパネル部材２ａ〜２ｄがそれぞれ１つの集音部５ａ〜５ｄを有する。当該壁構造１１は、室内スペースを区分する壁構造であって、詳細には打合せブースを事務スペース等の外部スペースと区分するための壁構造である。当該壁構造１１は、４つのパネル部材２ａ〜２ｄを床面に配置することによって外部スペースから打合せブースを区分する。なお、当該壁構造１１によって区分される区分構造は、当該壁構造１１に加え、話者Ｐ１〜Ｐ４に対応する４つの辺を有する平面視略矩形状の天板を有するテーブル１３と、話者Ｐ１〜Ｐ４が着座する４つの椅子（不図示）とを備える。当該壁構造１１は、４つのパネル部材２ａ〜２ｄによってテーブル１３の近傍の空間を周囲の空間と区分することで室内スペースに打合せブースを画定する。当該壁構造１１は、４つの集音部５ａ〜５ｄの集音形状が二次曲線回転面又はこの二次曲線回転面の一部である。当該壁構造１１におけるパネル部材２ａ〜２ｄの具体的構成としては、図１及び図２の壁構造１のパネル部材２ａ，２ｂと同様とすることができる。
【００２８】
当該壁構造１１は、４つの集音部５ａ〜５ｄの前面が打合せブース側に向くよう配設される。当該壁構造１１は、一対の集音部５ａ，５ｂがテーブル１３を挟んで対向配置されており、かつ他対の集音部５ｃ，５ｄがテーブル１３を挟んで対向配置されている。当該壁構造１１は、各集音部５ａ〜５ｄがそれぞれテーブル１３の１つの辺に対向するよう配設されている。つまり、一対の集音部５ａ，５ｂ同士及び他対の集音部５ｃ，５ｄ同士は平行に配設され、一対の集音部５ａ，５ｂと他対の集音部５ｃ，５ｄとは垂直に配設されている。なお、当該壁構造１１では、一対の集音部５ａ，５ｂ及び他対の集音部５ｃ，５ｄに挟まれる領域を除く空間において打合せブース及び外部スペースを区分する他のパネル部材を備えていてもよい。また、当該壁構造１１は、４人の話者Ｐ１〜Ｐ４がテーブル１３を囲んで会話をするために特に好適に用いられるが、より多くの話者による会話や、遠隔会議システムを使用するために用いることもできる。
【００２９】
当該壁構造１１は、一対の集音部５ａ，５ｂが対向配置され、かつ他対の集音部５ｃ，５ｄが対向配置されているので、一対の集音部５ａ，５ｂ間及び他対の集音部５ｃ，５ｄ間に音源が存在する場合、これらの集音部５ａ〜５ｄ間に音声利得の高い領域を発現することができる。つまり、例えば一対の集音部５ａ，５ｂ間に音源が存在する場合、この音源から一対の集音部５ａ，５ｂのうちの一方の集音部５ａ，５ｂに入射した音波は、総体として平面視及び側面視で帯状の領域を形成しつつ一対の集音部５ａ，５ｂのうちの他方の集音部５ａ，５ｂ側に反射される。また、他対の集音部５ｃ，５ｄ間に音源が存在する場合、この音源からこの他対の集音部５ｃ，５ｄのうちの一方の集音部５ｃ，５ｄに入射した音波は、総体として平面視及び側面視で帯状の領域を形成しつつ他対の集音部５ｃ，５ｄのうちの他方の集音部５ｃ，５ｄ側に反射される。そのため、当該壁構造１１は、一対の集音部５ａ，５ｂが対向配置され、かつ他対の集音部５ｃ，５ｄが対向配置されていることによって利得の高い領域を拡大することができ、話者Ｐ１〜Ｐ４の声を小さくした場合でも互いの声を容易に聞き取らせやすい。
【００３０】
４つの集音部５ａ〜５ｄの集音形状の焦点は異なることが好ましい。当該壁構造１１は、４つの集音部５ａ〜５ｄの集音形状の焦点が異なることで、一対の集音部５ａ，５ｂ間及び他対の集音部５ｃ，５ｄ間に音声利得の高い領域を発現させやすい。なお、各集音部５ａ〜５ｄの集音形状の焦点としては、例えば打合せブースにおいて想定される各集音部５ａ〜５ｄの前方に位置する話者Ｐ１〜Ｐ４の頭部近傍であることが好ましい。
【００３１】
一対の集音部５ａ，５ｂの二次曲線回転面の回転軸は同一直線状に配されることが好ましく、かつ他対の集音部５ｃ，５ｄの二次曲線回転面の回転軸は同一直線状に配されることが好ましい。また、一対の集音部５ａ，５ｂの二次曲線回転面の回転軸は、打合せブースにおいて想定される２人の話者Ｐ１，Ｐ２の頭部を通る水平な軸であることが好ましく、他対の集音部５ｃ，５ｄの二次曲線回転面の回転軸は、打合せブースにおいて想定される２人の話者Ｐ３，Ｐ４の頭部を通る水平な軸であることが好ましい。
【００３２】
〔テーブル〕
テーブル１３は、話者Ｐ１〜Ｐ４の着席位置を誘導する誘導構造を有することが好ましい。この誘導構造としては、話者Ｐ１〜Ｐ４の胴が入り込むよう天板の４辺に形成された切欠き１３ａが挙げられる。このように、テーブル１３が誘導構造を有することによって、当該壁構造１１によって音が収束する位置に話者Ｐ１〜Ｐ４を誘導し、会話が打合せブースの外部に漏れることをより容易に防止することができる。
【００３３】
［第三実施形態］
＜壁構造＞
図４の壁構造２１は、前面に前方から入射する音波を反射して収束させる複数の集音部２５ａ〜２５ｊを備える。具体的には、当該壁構造２１は、複数のパネル部材２２ａ〜２２ｊを備えており、これらのパネル部材２２ａ〜２２ｊがそれぞれ１つの集音部２５ａ〜２５ｊを有する。当該壁構造２１は、室内スペースを区分する壁構造であって、詳細には打合せブースを事務スペース等の外部スペースと区分するための壁構造である。当該壁構造２１は、複数のパネル部材２２ａ〜２２ｊを床面に配置することによって外部スペースから打合せブースを区分する。なお、当該壁構造２１によって区分される区分構造は、当該壁構造２１に加え、互いに向き合う話者Ｐ１，Ｐ２間に配置されるテーブル３と、話者が着座する一対の椅子（不図示）とを備える。当該壁構造２１は、複数のパネル部材２２ａ〜２２ｊによってテーブル３の近傍の空間を周囲の空間と区分することで室内スペースに打合せブースを画定する。当該壁構造２１は、複数の集音部２５ａ〜２５ｊの集音形状が二次曲線回転面又はこの二次曲線回転面の一部である。当該壁構造２１におけるテーブル３は、図１及び図２のテーブル３と同様のため、同一符号を付して説明を省略する。
【００３４】
当該壁構造２１は、複数のパネル部材２２ａ〜２２ｊによって構成される一対のパネル部材群２３ａ，２３ｂを有する。一対のパネル部材群２３ａ，２３ｂは、複数のパネル部材２２ａ〜２２ｊの集音部２５ａ〜２５ｊの前面が打合せブース側を向くように構成される。当該壁構造２１によって区分される区分構造では、一対のパネル部材群２３ａ，２３ｂに挟まれる中間位置にテーブル３が配置され、このテーブル３と一対のパネル部材群２３ａ，２３ｂとの間に一対の椅子が配置されている。なお、当該壁構造２１では、一対のパネル部材群２３ａ，２３ｂの複数の集音部２５ａ〜２５ｊに挟まれる領域を除く空間において打合せブース及び外部スペースを区分する他のパネル部材を備えていてもよい。また、当該壁構造２１は、２人の話者Ｐ１，Ｐ２がテーブル３を挟んで一対一で会話をするために特に好適に用いられるが、より多くの話者による会話や、遠隔会議システムを使用するために用いることもできる。
【００３５】
当該壁構造２１は、一対のパネル部材群２３ａ，２３ｂが対向配置されているので、一対のパネル部材群２３ａ，２３ｂの間、詳細には一対のパネル部材群２３ａ，２３ｂの集音部２５ａ〜２５ｊの間、に音源が存在する場合、一対のパネル部材群２３ａ，２３ｄの集音部２５ａ〜２５ｊ間に音声利得の高い領域を発現することができる。具体的には、一対のパネル部材群２３ａ，２３ｂ間に音源が存在する場合、この音源から一方のパネル部材群２３ａ，２３ｂの各パネル部材２２ａ〜２２ｊの集音部２５ａ〜２５ｊに入射した音波は、それぞれ総体として平面視及び側面視で帯状の領域を形成しつつ他方のパネル部材群２３ａ，２３ｂの集音部２５ａ〜２５ｊ側に反射される。そのため、当該壁構造２１は、一対のパネル部材群２３ａ，２３ｂが対向配置されることで、話者Ｐ１，Ｐ２の声を小さくした場合でも互いの声を容易に聞き取らせやすい。
【００３６】
（パネル部材群）
一対のパネル部材群２３ａ，２３ｂは、話者Ｐ１，Ｐ２の背面側を囲むように構成されている。詳細には、一対のパネル部材群２３ａ、２３ｂは、平面視で話者Ｐ１，Ｐ２の背面方向に凸になるよう複数のパネル部材２２ａ〜２２ｊをアーチ状に配設して構成されている。
【００３７】
各パネル部材２２ａ〜２２ｊは、集音部２５ａ〜２５ｊと、集音部２５ａ〜２５ｊを一定の高さに調節すると共に、集音部２５ａ〜２５ｊより下方を仕切る腰壁部（不図示）とを有する。集音部２５ａ〜２５ｊは、例えば板状であり、一方の表面に前述の集音形状が形成されている。
【００３８】
一方のパネル部材群２３ａを構成するパネル部材２２ａ〜２２ｅの集音部２５ａ〜２５ｅは、他方のパネル部材群２３ｂを構成するパネル部材２２ｆ〜２２ｊの集音部２５ｆ〜２５ｊと対向配置されることが好ましい。具体的には、一方のパネル部材群２３ａの集音部２５ａが他方のパネル部材群２３ｂの集音部２５ｆと対向配置され、一方のパネル部材群２３ａの集音部２５ｂが他方のパネル部材群２３ｂの集音部２５ｇと対向配置され、一方のパネル部材群２３ａの集音部２５ｃが他方のパネル部材群２３ｂの集音部２５ｈと対向配置され、一方のパネル部材群２３ａの集音部２５ｄが他方のパネル部材群２３ｂの集音部２５ｉと対向配置され、一方のパネル部材群２３ａの集音部２５ｅが他方のパネル部材群２３ｂの集音部２５ｊと対向配置されることが好ましい。当該壁構造２１は、一方のパネル部材群２３ａを構成するパネル部材２２ａ〜２２ｅの集音部２５ａ〜２５ｅと、他方のパネル部材群２３ｂを構成するパネル部材２２ｆ〜２２ｊの集音部２５ｆ〜２５ｊとが対向配置されることで、一対のパネル部材群２３ａ，２３ｂ間に音源が存在する場合に、対向する各集音部２５ａ〜２５ｊ間に音声利得の高い領域を発現することができる。そのため、当該壁構造２１は、一方のパネル部材群２３ａを構成するパネル部材２２ａ〜２２ｅの集音部２５ａ〜２５ｅと、他方のパネル部材群２３ｂを構成するパネル部材２２ｆ〜２２ｊの集音部２５ｆ〜２５ｊとが対向配置されることによって利得の高い領域を拡大することができ、話者Ｐ１，Ｐ２の声を小さくした場合でも互いの声を容易に聞き取らせやすい。
【００３９】
各集音部２５ａ〜２５ｊの集音形状の焦点は異なることが好ましい。当該壁構造２１は、各集音部２５ａ〜２５ｊの集音形状の焦点が異なることで、一対のパネル部材群２３ａ，２３ｂ間に音声利得の高い領域を発現させやすい。
【００４０】
一方のパネル部材群２３ａを構成するパネル部材２２ａ〜２２ｅの集音部２５ａ〜２５ｅが他方のパネル部材群２３ｂを構成するパネル部材２２ｆ〜２２ｊの集音部２５ｆ〜２５ｊと対向配置される場合、対向配置される集音部２２ａ〜２２ｊ同士の集音形状は等しいことが好ましい。また、対向配置される集音部２２ａ〜２２ｊ同士の二次曲線回転面の回転軸は同一直線状に配されることが好ましい。
【００４１】
各パネル部材２２ａ〜２２ｊの集音部２５ａ〜２５ｊの集音形状は、二次曲線回転面の一部であることが好ましい。また、前記二次曲線回転面としては、回転放物面又は回転楕円面が好ましく、回転放物面がより好ましい。前記二次曲線回転面が回転放物面であることによって、一対のパネル部材群２３ａ，２３ｂ間に音源が存在する場合に、この音源から放音される音が前記二次曲線回転面の焦点に収束することを抑えつつ、一対のパネル部材群２３ａ，２３ｂ間に音声利得の高い領域を発現させやすい。
【００４２】
［第四実施形態］
＜壁構造＞
図５の壁構造３１は、前面に前方から入射する音波を反射して収束させる複数の集音部３５ａ〜３５ｅを備える。具体的には、当該壁構造３１は、複数のパネル部材３２ａ〜３２ｅを備えており、これらのパネル部材３２ａ〜３２ｅがそれぞれ１つの集音部３５ａ〜３５ｅを有する。当該壁構造３１は、室内スペースを区分する壁構造であって、詳細には打合せブースを事務ブース等の外部スペースと区分するための壁構造である。当該壁構造３１は、複数のパネル部材３２ａ〜３２ｅを床面に配置することによって外部スペースから打合せブースを区分する。なお、当該壁構造３１によって区分される区分構造は、当該壁構造３１に加え、複数のパネル部材３２ａ〜３２ｅの前面側において複数のパネル部材３２ａ〜３２ｅに背を向けた状態で隣あう話者Ｐ１，Ｐ２の前方に配置されるテーブル３３と、話者Ｐ１，Ｐ２が着座する一対の椅子（不図示）とを備える。当該壁構造３１は、複数のパネル部材３２ａ〜３２ｅによってテーブル３３の近傍の空間を周囲の空間と区分することで室内スペースに打合せブースを画定する。当該壁構造３１は、複数の集音部３５ａ〜３５ｅの集音形状が二次曲線回転面又は二次曲線回転面の一部である。
【００４３】
当該壁構造３１は、複数のパネル部材３２ａ〜３２ｅによって構成される１つのパネル部材群３４を有する。このパネル部材群３４は、複数のパネル部材３２ａ〜３２ｅの集音部３５ａ〜３５ｅの前面が打合せブース側を向くように構成される。また、このパネル部材群３４は、複数の集音部３５ａ〜３５ｅが並列配置されており、具体的には複数のパネル部材３２ａ〜３２ｅが集音部３５ａ〜３５ｅの側面同士を接するように直線状に配置されている。当該壁構造３１によって区分される区分構造では、テーブル３３上に遠隔会議端末Ｔが載置されている。この遠隔会議端末Ｔは、スピーカ及びマイクを有し、このスピーカによって話者Ｐ１，Ｐ２に向けて音声を放音可能に構成されている。なお、当該壁構造３１では、複数のパネル部材３２ａ〜３２ｅの集音部３５ａ〜３５ｅと遠隔会議端末Ｔとに挟まれる領域を除く空間において打合せブース及び外部スペースを区分する他のパネル部材を備えていてもよい。また、当該壁構造３１は、遠隔会議端末Ｔを用いた遠隔会議システムを使用するために特に好適に用いられるが、複数の話者がテーブル３３を囲んで対話するために用いられてもよい。
【００４４】
当該壁構造３１は、複数のパネル部材３２ａ〜３２ｅの集音部３５ａ〜３５ｅが側面同士を接するように並列配置されているので、音源と複数の集音部３５ａ〜３５ｅとの間に音声利得の高い領域を発現することができる。具体的には、複数のパネル部材３２ａ〜３２ｅの集音部３５ａ〜３５ｅが側面同士を接するように並列配置されている場合、音源から各パネル部材３２ａ〜３２ｅの集音部３５ａ〜３５ｅに入射した音波は、それぞれ各集音部３５ａ〜３５ｅの焦点側に収束しつつ反射される。そのため、当該壁構造３１によると、話者Ｐ１，Ｐ２の声を小さくした場合でも互いの声を容易に聞き取らせやすい。
【００４５】
（パネル部材）
各パネル部材３２ａ〜３２ｅは、集音部３５ａ〜３５ｅと、集音部３５ａ〜３５ｅを一定の高さに調節すると共に、集音部３５ａ〜３５ｅの下方を仕切る腰壁部（不図示）とを有する。集音部３５ａ〜３５ｅは、例えば板状であり、一方の表面に前述の集音形状が形成されている。
【００４６】
図６に示すように、各パネル部材３２ａ〜３２ｅの集音部３５ａ〜３５ｅの集音形状は、二次曲線回転面の一部であることが好ましい。当該壁構造３１は、例えばパネル部材群３４の左右方向中央部に配設されるパネル部材３２ｃの集音部３５ｃの集音形状を、音源（つまり、遠隔会議端末Ｔのスピーカ）及びこのパネル部材３２ｃの左右方向中央を回転軸が通る二次曲線回転面の一部とし、このパネル部材３２ｃの左右方向外側に配設されるパネル部材３２ａ，３２ｂ，３２ｄ，３２ｅの集音部３５ａ，３５ｂ，３５ｄ，３５ｅの集音形状を、音源及び各パネル部材３２ａ，３２ｂ，３２ｄ，３２ｅの左右方向中央よりもパネル部材群３４における左右方向中央側を回転軸が通る二次曲線回転面の一部とすることができる。これにより、当該壁構造３１は、遠隔会議端末Ｔから放音される音をパネル部材群３４の左右方向中央側に反射させ、この音声を話者Ｐ１，Ｐ２に聞き取りやすくすることができる。なお、当該壁構造３１では、前記集音形状をテーブル３３よりも上側のみに形成してもよい。
【００４７】
また、各パネル部材３２ａ〜３２ｅの集音部３５ａ〜３５ｅの二次曲線回転面の回転軸は、話者Ｐ１，Ｐ２の想定される頭部間に位置することが好ましい。二次曲線回転面の回転軸が話者Ｐ１，Ｐ２の想定される頭部間に位置することで、一方の話者Ｐ１の声を他方の話者Ｐ２側に反射させ、かつ他方の話者Ｐ２の声を一方の話者Ｐ１側に反射させやすい。つまり、当該壁構造３１は、各パネル部材３２ａ〜３２ｅの集音部３５ａ〜３５ｅの二次曲線回転面の回転軸が音源間に位置することで、各音源から放音される音に対する音声利得の高い領域を他の音源側に発現しやすい。そのため、話者Ｐ１，Ｐ２の声を小さくした場合でも互いの声を容易に聞き取らせやすい。
【００４８】
複数のパネル部材３２ａ〜３２ｅの集音部３５ａ〜３５ｅの集音形状の焦点は異なることが好ましい。このように、複数のパネル部材３２ａ〜３２ｅの集音部３５ａ〜３５ｅの集音形状の焦点が異なることによって、パネル部材群３４の前面側に音声利得の高い領域を発現させやすい。これにより、話者Ｐ１，Ｐ２の頭部が予め想定される位置からずれた場合でも、話者Ｐ１，Ｐ２が音声を聞き取り難くなるおそれが低い。
【００４９】
前記二次曲線回転面としては、回転放物面又は回転楕円面が好ましく、回転放物面がより好ましい。前記二次曲線回転面が回転放物面であることによって、遠隔会議端末Ｔから放音される音や話者Ｐ１，Ｐ２の声が前記二次曲線回転面の焦点に収束することを抑えつつ、パネル部材群３４の前面側に音声利得の高い領域を発現させやすい。
【００５０】
〔テーブル〕
テーブル３３は、話者Ｐ１，Ｐ２の着席位置を誘導する誘導構造である切欠き３３ａを有することが好ましい。また、テーブル３３は、遠隔会議端末Ｔを載置する位置を示す位置決め構造（不図示）を有することが好ましい。この位置決め構造としては、例えば遠隔会議端末Ｔの載置位置を示す着色によるマーキング、遠隔会議端末Ｔを載置するための台座等が挙げられる。
【００５１】
［第五実施形態］
＜壁構造＞
図７の壁構造４１は、前面に前方から入射する音波を反射して収束させる複数の集音部４５ａ〜４５ｊを備える。具体的には、当該壁構造４１は、複数のパネル部材４２ａ〜４２ｊを備えており、これらのパネル部材４２ａ〜４２ｊがそれぞれ１つの集音部４５ａ〜４５ｊを有する。当該壁構造４１は、室内スペースを区分する壁構造であって、詳細には打合せブースを事務ブース等の外部スペースと区分するための壁構造である。当該壁構造４１は、複数のパネル部材４２ａ〜４２ｊによって構成される対向する一対のパネル部材群４３ａ，４３ｂを有する。一対のパネル部材群４３ａ，４３ｂは、複数のパネル部材４２ａ〜４２ｊの集音部４５ａ〜４５ｊの前面が打合せブース側を向くように配設されている。また、当該壁構造４１によって区分される区分構造は、当該壁構造４１に加え、一対のパネル部材群４３ａ，４３ｂの間に配設されるテーブル３と、話者Ｐ１，Ｐ２が着座する椅子（不図示）とを備える。テーブル３は、互いに向き合う話者Ｐ１，Ｐ２に対応する対向する２辺を有する天板を備えており、この２辺が一対のパネル部材群４３ａ，４３ｂの対向方向に配設されている。つまり、当該壁構造４１は、一対のパネル部材群４３ａ，４３ｂが話者Ｐ１，Ｐ２の側方に位置するよう構成されている。当該壁構造４１は、複数のパネル部材４２ａ〜４２ｊを床面に配置することによって外部スペースから打合せブースを区分する。当該壁構造４１は、複数のパネル部材４２ａ〜４２ｊによってテーブル３の近傍の空間を周囲の空間と区分することで室内スペースに打合せブースを画定する。当該壁構造４１は、前記集音形状が二次曲線回転面又は二次曲線回転面の一部である。当該壁構造４１におけるテーブル３は、図１及び図２のテーブル３と同様のため、同一符号を付して説明を省略する。
【００５２】
当該壁構造４１は、各パネル部材群４３ａ，４３ｂにおいて、複数の集音部４５ａ〜４５ｊが並列配置されている。詳細には、各パネル部材群４３ａ，４３ｂにおいて、複数のパネル部材４２ａ〜４２ｊは、集音部４５ａ〜４５ｊの側面同士が接する状態で平面視直線状に配設されている。なお、当該壁構造４１では、一対のパネル部材群４３ａ，４３ｂの集音部４５ａ〜４５ｊに挟まれる領域を除く空間において打合せブース及び外部スペースを区分する他のパネル部材を備えていてもよい。また、当該壁構造４１は、一対のパネル部材群４３ａ，４３ｂを側方に配した状態で話者Ｐ１，Ｐ２がテーブル３を挟んで向き合って会話をするために特に好適に用いられるが、一対のパネル部材群４３ａ，４３ｂの対向方向に向き合う話者による会話や、遠隔会議システムを使用するために用いることもできる。
【００５３】
（パネル部材群）
一方のパネル部材群４３ａのパネル部材４２ａ〜４２ｅは、他方のパネル部材群４３ｂのパネル部材４２ｆ〜４２ｊと対向配置されている。より詳細には、一方のパネル部材群４３ａのパネル部材４２ａ〜４２ｅの集音部４５ａ〜４５ｅは、他方のパネル部材群４３ｂのパネル部材４２ｆ〜４２ｊの集音部４５ｆ〜４５ｊと対向配置されている。
【００５４】
各パネル部材４２ａ〜４２ｊは、集音部４５ａ〜４５ｊと、集音部４５ａ〜４５ｊを一定の高さに調節すると共に、集音部４５ａ〜４５ｊより下方を仕切る腰壁部（不図示）とを有する。集音部４５ａ〜４５ｊは、例えば板状であり、一方の表面に前述の集音形状が形成されている。
【００５５】
図８に示すように、各パネル部材４２ａ〜４２ｊの集音部４５ａ〜４５ｊの集音形状は、二次曲線回転面の一部であることが好ましい。また、各パネル部材群４３ａ，４３ｂにおいて複数のパネル部材４２ａ〜４２ｊの集音部４５ａ〜４５ｊの集音形状の焦点は異なることが好ましい。また、各パネル部材４２ａ〜４２ｊの集音部４５ａ〜４５ｊの集音形状は、回転軸が各パネル部材４２ａ〜４２ｊの平面方向と垂直で、かつ各パネル部材４２ａ〜４２ｊの左右方向中央を通る二次曲線回転面の一部であることが好ましい。この構成によると、一対のパネル部材群４３ａ，４３ｂの延在方向（各パネル部材群４３ａ，４３ｂにおいて複数のパネル部材４２ａ〜４２ｊが連続する方向）の一方側から入射した声を前記延在方向の他方側に反射させやすい。具体的には、一対のパネル部材群４３ａ，４３ｂの延在方向の一方側に音源が存在する場合、音源から各パネル部材４２ａ〜４２ｊの集音部４５ａ〜４５ｊに入射した音波は、各集音部４２ａ〜４２ｊ毎に異なる点に収束しつつ一対のパネル部材群４３ａ，４３ｂの延在方向の他方側に反射される。これにより、一対のパネル部材群４３ａ，４３ｂの延在方向の一方側に音源が存在する場合、前記延在方向の他方側に音声利得の高い領域を発現しやすい。なお、音声利得の高い領域の発現位置を制御する点からは、対向配置される集音部４５ａ〜４５ｊ同士の集音形状は等しいことが好ましい。
【００５６】
当該壁構造４１は、一対のパネル部材群４３ａ，４３ｂの延在方向の一方側から入射した声を一対のパネル部材群４３ａ，４３ｂの延在方向の他方側に向けて反射させやすいので、一方の話者Ｐ１の声を他方の話者Ｐ２に向けて効率よく反射させ、かつ他方の話者Ｐ２の声を一方の話者Ｐ１に向けて効率よく反射させることができるので、話者Ｐ１，Ｐ２の声を小さくした場合でも互いの声を容易に聞き取らせやすい。
【００５７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５８】
例えば当該壁構造は、必ずしも各パネル部材が１つの集音部を有する必要はなく、１つのパネル部材が複数の集音部を有していてもよい。この場合、当該壁構造は、例えば１つのパネル部材のみから構成されてもよい。
【００５９】
前記パネル部材の具体的構成は、特に限定されるものではなく、例えば前述の腰壁部を有しなくてもよい。
【００６０】
当該壁構造によって区分される区分構造におけるテーブル及び椅子の具体的構成及び個数は特に限定されるものではない。例えば前記テーブルは、着席位置の誘導構造や遠隔会議端末を載置する位置を示す位置決め構造を有しなくてもよい。また、当該壁構造は、必ずしもテーブル及び椅子を備えなくてもよい。
【００６１】
当該壁構造は、建物の一部をなす固定壁や天井を形成するために使用してもよい。
【産業上の利用可能性】
【００６２】
以上説明したように、本発明の壁構造は、周囲の環境ノイズを大きくすることなく、会話内容が外部に伝わり難くすることができるので、室内スペースを分割して打合せブースを形成するために特に好適に利用することができる。
【符号の説明】
【００６３】
１，１１，２１，３１，４１  壁構造
２ａ〜２ｄ，２２ａ〜２２ｊ，３２ａ〜３２ｅ，４２ａ〜４２ｊ  パネル部材
３，１３，３３  テーブル
３ａ，１３ａ，３３ａ  切欠き
４ａ，４ｂ  椅子
５ａ〜５ｄ，２５ａ〜２５ｊ，３５ａ〜３５ｅ，４５ａ〜４５ｊ  集音部
６  腰壁部
２３ａ，２３ｂ，３４，４３ａ，４３ｂ  パネル部材群
Ｐ１〜Ｐ４  話者
Ｔ  遠隔会議端末
【図１】
2018204289.tif 000003
【図２】
2018204289.tif 000004
【図３】
2018204289.tif 000005
【図４】
2018204289.tif 000006
【図５】
2018204289.tif 000007
【図６】
2018204289.tif 000008
【図７】
2018204289.tif 000009
【図８】
2018204289.tif 000010